(57)【要約】【課題】ボトムガセットタイプのパウチ容器に比べてサイズを小さく抑えることができ、しかも、自立安定性に優れたパウチ容器を提供する。【解決手段】外装シート１１及びガセットシート１２によって袋状に形成された容器本体１０と、容器本体１０に装着されるスパウト２０とから構成されており、容器本体１０の底部には、両側部に４つの脚１０Ａが設けられている。側縁シールＳＳには、その垂直シール部ＳＳＶの外縁と下縁シールＬＳの傾斜シール部ＬＳＳの外縁との交点から、垂直シール部ＳＳＶの内縁と傾斜シール部ＬＳＳの内縁との交点より１〜２ｍｍ程度上方位置まで延びる切目１０Ｂが形成されており、容器本体１０内に内容物を充填することで略フラットな底部が形成されると、垂直シール部ＳＳＶにおける切目１０Ｂの外側部分が、底部から下方側に張り出した脚１０Ａとなり、この脚１０Ａによって容器本体１０が起立状態に支持されるようになっている。【選択図】        図３
2006219157.tif 000002
【特許請求の範囲】
【請求項１】
表裏一対の外装シート及び両外装シートの両側部から内側に折り込まれてサイドガセット部を形成する左右一対のガセットシートを備えたサイドガセットタイプのパウチ容器において、
前記外装シートの側縁と前記ガセットシートの側縁とを相互にヒートシールしたサイドシール部分の下部側を縦方向の切目により分断することによって、前記サイドシール部分における前記切目の外側部分を脚として使用するようにしたことを特徴とするパウチ容器。
【発明の詳細な説明】
【技術分野】
【０００１】
この発明は、清涼飲料等の液体飲料や食品、医薬品、医薬部外品等の液体や粘性体が充填されるパウチ容器、特に、小容量タイプに適したパウチ容器に関する。
【背景技術】
【０００２】
例えば、医薬部外品である５０ｃｃ程度の栄養飲料を充填する容器として、パウチ容器を採用する場合、図６に示すように、表裏一対の外装シート５１ａの両側部からガセットシート５１ｂが内側に折り込まれ、そのガセットシート５１ｂの周縁部が外装シート５１ａにヒートシールされると共に外装シート５１ａの上縁部及び下縁部が相互にヒートシールされることによって袋状に形成されたサイドガセットタイプの容器本体５１にスパウト５２が装着されたスパウト付きパウチ容器５０を小型化して使用することが考えられる。
【０００３】
ところで、容器本体５１がサイドガセットタイプのパウチ容器５０は、同図に示すように、相互にヒートシールされた外装シート５１ａの下端部を背面側に折り曲げることによって底部が形成されており、その折曲部分には常時スプリングバックによる復元力が作用しているので、一般的に自立安定性が悪く、特に、スプリングバックによる復元力に打ち勝つ十分な自重を確保することができない小容量のパウチ容器では、店頭の陳列棚等に起立させた状態で陳列することができないといった問題がある。
【０００４】
このため、こういった小容量のパウチ容器としては、上述したような容器本体５１がサイドガセットタイプのパウチ容器５０ではなく、図７に示すように、表裏一対の外装シート６１ａの下端部からガセットシート６１ｂが内側に折り込まれ、そのガセットシート６１ｂの周縁部が外装シート６１ａにヒートシールされると共に外装シート６１ａの上縁部及び両側縁部が相互にヒートシールされることによって袋状に形成された容器本体６１にスパウト６２が装着された、自立安定性に優れたボトムガセットタイプのスパウト付きパウチ容器６０が採用されている。
【０００５】
【特許文献１】特開平１０−７２０４４号公報
【特許文献２】特開２００１−１７１６８９号公報
【発明の開示】
【発明が解決しようとする課題】
【０００６】
しかしながら、容器本体６１の底部分にだけガセット部が形成されるボトムガセットタイプのスパウト付きパウチ容器６０は、容器本体５１の両側部にそれぞれガセット部が形成されるサイドガセットタイプのスパウト付きパウチ容器５０に比べて、内容量が小さくなるので、同容量のサイドガセットタイプのパウチ容器５０に比べて、容器本体６１のサイズが全体的に大きくなるといった問題がある。
【０００７】
そこで、この発明の課題は、ボトムガセットタイプのパウチ容器に比べてサイズを小さく抑えることができ、しかも、自立安定性に優れたパウチ容器を提供することにある。
【課題を解決するための手段】
【０００８】
上記の課題を解決するため、請求項１にかかる発明は、表裏一対の外装シート及び両外装シートの両側部から内側に折り込まれてサイドガセット部を形成する左右一対のガセットシートを備えたサイドガセットタイプのパウチ容器において、前記外装シートの側縁と前記ガセットシートの側縁とを相互にヒートシールしたサイドシール部分の下部側を縦方向の切目により分断することによって、前記サイドシール部分における前記切目の外側部分を脚として使用するようにしたことを特徴とするパウチ容器を提供するものである。
【発明の効果】
【０００９】
以上のように、請求項１にかかる発明のパウチ容器は、サイドガセットタイプであるので、ボトムガセットタイプのパウチ容器のように、サイズが大きくなることがなく、しかも、サイドシール部分の下部側を縦方向の切目により分断することによって、前記サイドシール部分における前記切目の外側部分を脚として使用するようになっているので、良好な自立安定性を確保することができる。
【発明を実施するための最良の形態】
【００１０】
以下、実施の形態について図面を参照して説明する。図１及び図２（ａ）、（ｂ）に示すように、このパウチ容器１は、フレキシブルシートによって袋状に形成された容器本体１０と、この容器本体１０に取り付けられる熱接着性樹脂によって形成されたスパウト２０とから構成されており、容器本体１０の底部には、その両側部に４つの脚１０Ａが設けられている。
【００１１】
前記容器本体１０は、図３に示すように、ポリエチレンテレフタレートによって形成された厚さ１２μｍの基材層に、アルミニウム箔によって形成された厚さ７μｍのガスバリア層、ポリアミドによって形成された厚さ１５μｍの補強層及びポリエチレンによって形成された厚さ１００μｍのシーラント層が順次積層された４層構造の表裏一対の外装シート１１、１１と、両外装シート１１、１１の両側部から内側に折り込まれて左右のサイドガセット部を形成する、シーラント層の厚みが７０μｍである点を除いて、外装シート１１と同一構造の左右一対のガセットシート１２、１２とから構成されており、表裏一対の外装シート１１、１１の両側縁と左右一対のガセットシート１２、１２の両側縁とが相互にヒートシールされると共に、表裏一対の外装シート１１、１１の下端部が、相互にまたは左右一対のガセットシート１２、１２の下端部にそれぞれヒートシールされることによって、袋状に形成されている。このようにして形成された容器本体１０は、その上端側が開口されているが、容器本体１０にスパウト２０を装着する際に、容器本体１０の上縁部分がヒートシールされることによって、閉塞されるようになっている。なお、図３における網掛け表示部分が、容器本体１０のヒートシール部分を示している。
【００１２】
図３に示すように、外装シート１１の側縁とガセットシート１２の側縁とが相互にヒートシールされた側縁シールＳＳは、傾斜シール部ＳＳＳ及び垂直シール部ＳＳＶからなり、外装シート１１の下縁同士及び外装シート１１の下縁とガセットシート１２の下縁とが相互にヒートシールされた下縁シールＬＳは、傾斜シール部ＬＳＳ及び水平シール部ＬＳＨからなる。
【００１３】
側縁シールＳＳの傾斜シール部ＳＳＳ、下縁シールＬＳの傾斜シール部ＬＳＳ及び水平シール部ＬＳＨは、それぞれのシール幅が６ｍｍ程度に設定されているが、側縁シールＳＳの垂直シール部ＳＳＶは、そのシール幅が１２ｍｍ程度に設定されており、傾斜シール部ＳＳＳ、ＬＳＳ及び水平シール部ＬＳＨの略２倍のシール幅を有している。なお、外装シート１１の上縁同士及び外装シート１１の上縁とガセットシート１２の上縁とが相互にヒートシールされた上縁シールＵＳは、１０ｍｍ程度のシール幅を有している。
【００１４】
側縁シールＳＳには、その垂直シール部ＳＳＶの外縁と下縁シールＬＳの傾斜シール部ＬＳＳの外縁との交点から、垂直シール部ＳＳＶの内縁と傾斜シール部ＬＳＳの内縁との交点より１〜２ｍｍ程度上方位置まで延びる切目１０Ｂが形成されており、図１及び図２（ａ）、（ｂ）に示すように、容器本体１０内に内容物を充填することによって略フラットな底部が形成されると、垂直シール部ＳＳＶにおける切目１０Ｂの外側部分が、底部から下方側に張り出した脚１０Ａとなり、この脚１０Ａによって容器本体１０が起立状態に支持されるようになっている。
【００１５】
前記スパウト２０は、図３に示すように、ポリエチレンやポリプロピレン等により形成され、袋状の容器本体１０に取り付けられる固着部２１と、この固着部２１の上部に設けられた、スクリューキャップ２２によって開閉可能な飲口または注口となる口部と、固着部２１の下部に設けられた、容器本体１０内に充填された内容物の吸い上げを容易にする横断面十字状の導出部２３とから構成されており、導出部２３が容器本体１０内に挿入された状態で、固着部２１の側面が容器本体１０（外装シート１１、１１）の上縁部にヒートシールされている。
【００１６】
以上のように、このパウチ容器１は、袋状の容器本体１０がサイドガセットタイプであるので、容器本体がボトムガセットタイプのパウチ容器のように、全体的に容器本体１０のサイズが大きくなることがなく、しかも、容器本体１０の底部には、パウチ容器１を起立させるための４つの脚１０Ａが設けられているので、通常のサイドガセットタイプのパウチ容器に比べて良好な自立安定性を確保することができる。従って、十分な自重を確保することができない小容量タイプのパウチ容器に有効である。
【００１７】
また、このパウチ容器１は、上述したように、側縁シールＳＳの垂直シール部ＳＳＶを幅広にすると共に、垂直シール部ＳＳＶの下部に垂直シール部ＳＳＶを横方向に分断する、縦方向に延びる切目１０Ｂを形成することによって、垂直シール部ＳＳＶにおける切目１０Ｂの外側部分を脚１０Ａとして使用するようになっているので、容器本体１０を製袋する際に同時に４つの脚１０Ａを形成することができ、４つの脚１０Ａを有するパウチ容器１を効率よく製造することが可能となる。
【００１８】
なお、上述した実施形態では、側縁シールＳＳの垂直シール部ＳＳＶの外縁と下縁シールＬＳの傾斜シール部ＬＳＳの外縁との交点位置が下端となる脚１０Ａが形成されるように、垂直シール部ＳＳＶの長さを設定しているが、これに限定されるものではなく、例えば、図４（ａ）、（ｂ）に示すパウチ容器２のように、垂直シール部ＳＳＶにおける切目１０Ｂの外側部分を下縁シールＬＳにおける水平シール部ＬＳＨの外縁まで延すことによって、長い脚１０Ａを形成するようにしてもよく、その場合は、同図（ｂ）に示すように、長い脚１０Ａを前後方向に湾曲させるようにして、容器本体１０を起立状態に支持することになるので、パウチ容器２の自立安定性が向上する。
【００１９】
また、上述した実施形態では、下縁シールＬＳにおける傾斜シール部ＬＳＳのシール幅を、水平シール部ＬＳＨのシール幅と同一幅に設定しているが、これに限定されるものではなく、例えば、図５（ａ）、（ｂ）に示すパウチ容器３、４のように、下縁シールＬＳにおける水平シール部ＬＳＨの外縁の延長線上に、傾斜シール部ＬＳＳの外縁がくるように、傾斜シール部ＬＳＳのシール領域を拡大させることも可能である。その場合も、同図（ａ）に示すように、脚１０Ａの長さを短くしたり、同図（ｂ）に示すように、脚１０Ａの長さを長くしたりすることができる。
【００２０】
また、上述した各実施形態では、切目１０Ｂが、垂直シール部ＳＳＶの内縁と傾斜シール部ＬＳＳの内縁との交点より１〜２ｍｍ程度上方位置まで延びているが、これに限定されるものではなく、垂直シール部ＳＳＶの内縁と傾斜シール部ＬＳＳの内縁との交点の近傍であれば、垂直シール部ＳＳＶの内縁と傾斜シール部ＬＳＳの内縁との交点位置まで至らないものであってもよい。
【００２１】
また、脚１０Ａ部分に上下方向に延びる、一または複数の凹凸状のリブ（例えば、押罫線）を設けることにより、脚１０Ａ部分の強度アップを図ることができるので、脚１０Ａの幅を狭くすることも可能である。
【００２２】
また、上述した各実施形態では、袋状の容器本体にスパウトが装着されたパウチ容器について説明したが、これに限定されるものではなく、スパウトのないパウチ容器についても本発明を適用することができることはいうまでもない。
【図面の簡単な説明】
【００２３】
【図１】この発明にかかるパウチ容器の一実施形態を示す斜視図である。
【図２】（ａ）は同上のパウチ容器を示す正面図、（ｂ）は同上のパウチ容器を示す側面図である。
【図３】同上のパウチ容器を扁平に折り畳んだ状態を示す正面図である。
【図４】（ａ）は他の実施形態であるパウチ容器を扁平に折り畳んだ状態を示す正面図、（ｂ）は同上のパウチ容器の起立状態を示す側面図である。
【図５】（ａ）、（ｂ）は他の実施形態であるパウチ容器を扁平に折り畳んだ状態を示す正面図である。
【図６】一般的なサイドガセットタイプのパウチ容器を示す斜視図である。
【図７】従来の小容量タイプのパウチ容器を示す斜視図である。
【符号の説明】
【００２４】
１、２、３、４  パウチ容器
１０  容器本体
１０Ａ  脚
１０Ｂ  切目
１１  外装シート
１２  ガセットシート
２０  スパウト
２１  固着部
２２  スクリューキャップ
２３  導出部
ＳＳ  側縁シール
ＳＳＳ  傾斜シール部
ＳＳＶ  垂直シール部
ＬＳ  下縁シール
ＬＳＳ  傾斜シール部
ＬＳＨ  水平シール部
【図１】
2006219157.tif 000003
【図２】
2006219157.tif 000004
【図３】
2006219157.tif 000005
【図４】
2006219157.tif 000006
【図５】
2006219157.tif 000007
【図６】
2006219157.tif 000008
【図７】
2006219157.tif 000009